(57)【要約】【課題】受信した画像データを確認しやすくすると共に、印刷用紙枚数を抑制する。【解決手段】入力された受信データに基づいて媒体に両面印刷する画像形成装置である。前記受信データの１ページ分の印刷範囲が前記媒体の印刷範囲を超えているか否かの判定をする分割印刷判定部と、前記受信データと前記分割印刷判定部の結果に基づき、１ページ分の印刷範囲が前記媒体の印刷範囲を超えていると判定したときは、１ページ分の印刷データを分割して別の媒体の同一面へ印刷する印刷データ配置情報を作成する印刷データ配置判定部とを備えた。【選択図】      図２
2014165870.tif 000002
【特許請求の範囲】
【請求項１】
入力された受信データに基づいて媒体に両面印刷する画像形成装置において、
前記受信データの１ページ分の印刷範囲が前記媒体の印刷範囲を超えているか否かの判定をする分割印刷判定部と、
前記受信データと前記分割印刷判定部の結果に基づき、１ページ分の印刷範囲が前記媒体の印刷範囲を超えていると判定したときは、１ページ分の印刷データを分割して別の媒体の同一面へ印刷する印刷データ配置情報を作成する印刷データ配置判定部とを備えたことを特徴とする画像形成装置。
【請求項２】
請求項１に記載の画像形成装置において、
前記分割印刷判定部が、１ページ分の印刷範囲が前記媒体の印刷範囲を超えていると判定したときは、前記印刷データ配置判定部が印刷順番を先頭ページから配置するように、前記印刷データ配置情報を作成することを特徴とする画像形成装置。
【請求項３】
請求項１又は２に記載の画像形成装置において、
１ページ分の印刷データを複数に分割したとき、各分割画像にページ数と分割数とを印字する印刷ページ印字部を備えることを特徴とする画像形成装置。
【請求項４】
請求項１乃至３のいずれか１項に記載の画像形成装置において、
前記印刷データ配置判定部で作成した印刷データ配置情報に基づいて、適切な印刷媒体の選択と印刷データの補正を行なう印刷制御部をさらに備えたことを特徴とする画像形成装置。
【請求項５】
請求項１乃至４のいずれか１項に記載の画像形成装置において、
前記受信データを保存して印刷データ配置情報を作成するためのメモリをさらに備えたことを特徴とする画像形成装置。
【請求項６】
入力された受信データに基づいて媒体に両面印刷する画像形成方法において、
前記受信データの１ページ分の印刷範囲が前記媒体の印刷範囲を超えているか否かの判定をする分割印刷判定処理と、
前記受信データと前記分割印刷判定処理の結果に基づき、１ページ分の印刷範囲が前記媒体の印刷範囲を超えていると判定したときは、１ページ分の印刷データを分割して別の媒体の同一面へ印刷する印刷データ配置情報を作成する印刷データ配置判定処理とを備えたことを特徴とする画像形成方法。
【請求項７】
請求項６に記載の画像形成方法において、
前記分割印刷判定処理が、１ページ分の印刷範囲が前記媒体の印刷範囲を超えていると判定したときは、前記印刷データ配置判定処理が印刷順番を先頭ページから配置するように、前記印刷データ配置情報を作成することを特徴とする画像形成方法。
【請求項８】
請求項６又は７に記載の画像形成方法において、
１ページ分の印刷データを複数に分割したとき、各分割画像にページ数と分割数とを印字することを特徴とする画像形成方法。
【請求項９】
請求項６乃至８のいずれか１項に記載の画像形成方法において、
前記印刷データ配置判定処理で作成した印刷データ配置情報に基づいて、適切な印刷媒体の選択と印刷データの補正を行なう印刷制御処理をさらに備えたことを特徴とする画像形成方法。
【請求項１０】
請求項６乃至９のいずれか１項に記載の画像形成方法において、
前記受信データを保存して印刷データ配置情報を作成するためのメモリをさらに備えたことを特徴とする画像形成方法。
【発明の詳細な説明】
【技術分野】
【０００１】
この発明は、両面印刷機能を備えた画像形成装置及び画像形成方法に関するものである。
【背景技術】
【０００２】
従来、ファクシミリ装置などの画像形成装置において、印刷用紙枚数を低減するために、画像データを媒体の両面に印刷する技術が知られている。このような画像形成装置では、受信された印刷データは前記媒体の両面に印刷される。そして、この印刷の際に、印刷データは、受信された順番で前記媒体の両面に印刷出力されていた。
【０００３】
このような画像形成装置の例としては、特許文献１に記載のファクシミリ装置がある。
【先行技術文献】
【特許文献】
【０００４】
【特許文献１】特開平０５−１８３７０８号公報
【発明の概要】
【発明が解決しようとする課題】
【０００５】
しかしながら、従来の装置では、受信した印刷データを媒体の両面で印刷するが、長尺原稿の印刷データを受信した場合、受信した画像が媒体の両面にまたがって印刷されてしまう。
【０００６】
この結果、長尺原稿を媒体の表面と裏面とを見ながら確認しなければならず、印刷結果が見づらくなるという問題点があった。
【課題を解決するための手段】
【０００７】
本発明は、前記課題を解決するためになされたもので、入力された受信データに基づいて媒体に両面印刷する画像形成装置である。前記受信データの１ページ分の印刷範囲が前記媒体の印刷範囲を超えているか否かの判定をする分割印刷判定部と、前記受信データと前記分割印刷判定部の結果に基づき、１ページ分の印刷範囲が前記媒体の印刷範囲を超えていると判定したときは、１ページ分の印刷データを分割して別の媒体の同一面へ印刷する印刷データ配置情報を作成する印刷データ配置判定部とを備えた。また、画像形成方法は、その機能を前記画像形成装置と同じくするものである。
【発明の効果】
【０００８】
前記構成により、画像データが確認しやすくなると共に、印刷用紙枚数を抑制することができる。
【図面の簡単な説明】
【０００９】
【図１】本発明の第１実施形態に係る画像形成装置の一利用形態を示す概略構成図である。
【図２】本発明の第１実施形態に係るＭＦＰ装置の構成を示す制御ブロック図である。
【図３】本発明の第１実施形態に係るＭＦＰ装置で用いられるデータフォーマットを示す構成図である。
【図４】Ａ〜Ｅの文字の画像データの分割例を示す模式図である。
【図５】操作パネルを示す正面図である。
【図６】本発明の第１実施形態に係る制御部での処理機能の前半を示すフローチャートである。
【図７】本発明の第１実施形態に係る制御部での処理機能の後半を示すフローチャートである。
【図８】本発明の第２実施形態に係るＭＦＰ装置の構成を示す制御ブロック図である。
【図９】Ａ〜Ｅの文字の画像データの分割例を示す模式図である。
【図１０】本発明の第２実施形態に係る不揮発性メモリ内の印刷データ配置情報の構成図である。
【図１１】本発明の第２実施形態に係る受信画像データの印刷制御の動作を示すフローチャートである。
【図１２】図１１の分割印刷判定部での処理を示すフローチャートである。
【図１３】図１１の印刷データ配置判定部での処理の前半部分を示すフローチャートである。
【図１４】図１１の印刷データ配置判定部での処理の後半部分を示すフローチャートである。
【発明を実施するための形態】
【００１０】
以下に、本発明の実施形態について説明する。本実施形態の画像形成装置及び画像形成方法は、交換回線網を介して送られる画像データを処理する装置及び方法である。この交換回線網に画像形成装置を接続して利用する際の一利用形態を図１に示す。図１は本発明の画像形成装置の一利用形態を示す概略構成図である。
【００１１】
図中の１は送信側ＭＦＰ（MultiFunction Printer/Product/Peripheral）装置である。２は、公衆電話網やローカル電話網などの交換回線網である。３は受信側ＭＦＰ装置である。送信側ＭＦＰ装置１及び受信側ＭＦＰ装置３と交換回線網２とは、回線４によって接続される。この図１は、送信側ＭＦＰ装置１から交換回線網２を介して、受信側ＭＦＰ装置３ヘファクシミリ画像データ等を送る利用形態を示している。
【００１２】
本発明は、この画像形成装置の利用形態において、受信側ＭＦＰ装置３での画像データの処理を改良したものである。
【００１３】
[第１実施形態]
以下に、本発明の第１実施形態について説明する。まず、本実施形態に係る画像形成装置のＭＦＰ装置について説明する。図２は、本実施形態に係るＭＦＰ装置の構成を示す制御ブロック図である。このＭＦＰ装置１０は以下のように構成されている。
【００１４】
図２中の１１は制御部である。この制御部１１は、ＭＦＰ装置１０を制御する装置であって、後述する画像形成方法の処理機能（図６，７に示すフローチャートの処理機能）が格納されている。制御部１１は、システム制御部２１を有する。このシステム制御部２１は、ハードウェア制御とソフトウェアプログラムを実行する。システム制御部２１は、具体的にはＣＰＵ４１を有し、システム内の資源を管理すると共に、プログラムの起動や調停を行う。
【００１５】
４２はＲＯＭ（記憶装置）である。ＲＯＭ４２は、システム制御部２１によって実行されるソフトウェアであるプログラムを予め格納し、後述するソフトウェアを含む。４３はＲＡＭ（記憶装置）である。ＲＡＭ４３は、システム制御部２１によるプログラムの実行時に発生するデータを記憶する。
【００１６】
システムバス１３は、ハードウェアを制御するほか、後述するソフトウェアを実行する。ページメモリ３４は、印刷ページデータを格納するメモリである。ページメモリ３４は、揮発性メモリであり、２つの記憶領域を備えている。即ち、ページメモリ３４は、媒体の表面印刷用であるページメモリ表面用の領域と、媒体の裏面印刷用であるページメモリ裏面用の領域を備えている。
【００１７】
読取装置３０は、ＣＣＤなどを利用したスキャナ装置である。読取装置３０は、原稿を読取り、ドットイメージデータに変換する。印刷装置３５は、感熱記録方式、電子写真方式などのプリンタ装置である。両面印刷ユニット５０は、印刷装置３５で用紙に画像データを印刷する際に、画像データを用紙の両面に印刷するための機構である。
【００１８】
操作パネル３１は、ＭＦＰ装置１０を操作するためのパネルである。操作パネル３１は、液晶表示装置（ＬＣＤ）又は、ＣＲＴディスプレイなどの表示装置で構成されている。操作パネル３１は、ＭＦＰ装置１０の状態などを表示すると共に、ＭＦＰ装置１０を操作するために必要なファンクションキー、テンキー、スタートキー、用紙選択キー、クリアキーなどを備えている。
【００１９】
モデム３３は変復調装置である。モデム３３は、ファクシミリ伝送制御手順による手順データや画像データを変復調し、相手先のファクシミリ装置とデータを授受する。ＮＣＵ３２は網制御装置である。ＮＣＵ３２は、モデム３３と公衆交換電話網との接続及び開放を制御する。
【００２０】
読取制御部２２は、原稿の読み取りを行なう制御部である。トレイ用紙記憶部２３は、装置のトレイの媒体サイズの設定を記憶する記憶部である。操作パネル部２４は、操作パネル３１を制御し、ユーザインターフェースを実行するものである。
【００２１】
通信制御部２５は、モデム３３やＮＣＵ３２を制御して、ＭＦＰ装置１０と公衆交換電話網とを接続し、ファクシミリ伝送制御手順及び、画像データの授受を実行するものである。
【００２２】
分割印刷判定部２７は、受信した画像データの１ページ分の印刷範囲が媒体の印刷範囲を超えるか否かの判定を行うものである。印刷データ配置判定部２８は、印刷データを適切に制御するための判定を行うものである。印刷制御部２９は、適切な印刷媒体の選択と印刷データの補正を行なうものである。
【００２３】
符号化、複合化部４０は、読み取りデータの圧縮や受信データの復号化を行うものである。印刷データ配置情報部５１は、印刷データを適切に制御する情報を保存するものである。印刷ページ印字部５２は、印刷データにページ情報を付加するものである。
【００２４】
以上の構成のＭＦＰ装置１０で用いられるデータフォーマットは図３に示すように構成されている。図３のデータフォーマットでは、図４のＡの文字の画像データである長尺原稿を例にしている。図４のＡの文字の画像データは、解像度が３．８５ｍ／Ｌｉｎｅ、Ａ４幅、長尺原稿（３４２９ライン：８９０ｍｍ）の例である。この長尺原稿をＡ４用紙に等倍で印刷すると、図４のように、３ページに分割される。尚、Ａ４定型サイズのライン数は１１４３ライン（３．８５ｍｍ／Ｌｉｎｅ）である。
【００２５】
図５は、操作パネル３１である。ＭＦＰ装置１０では、印刷媒体のサイズを操作パネル３１により設定するものとする。操作パネル３１の用紙選択ボタン５５を選択することでＬＣＤ５６に用紙サイズが表示されるようになっている。そして、表示された用紙サイズを特定してＯＫボタン５７を押すことで、印刷する用紙のサイズを選択できるようになっている。
【００２６】
以上のように構成されたＭＦＰ装置１０の各構成装置を用いて以下の画像形成方法を実施する。
【００２７】
［画像形成方法］
次に、前記画像形成装置を用いた画像形成方法について説明する。ここでは、図４に示すように、Ａ〜Ｅの文字の画像データのうちＡとＣの文字が分割されて印刷される例を基に画像形成方法を説明する。この画像形成方法では、送信側のＡの文字の画像データは、受信側での印刷の結果、媒体１枚目から３枚目の表面に印刷される。送信側のＢの文字の画像データは、受信側の媒体３枚目の裏面に印刷される。送信側のＣの文字の画像データは、受信側の媒体４枚目と５枚目の表面に印刷される。送信側のＤの文字の画像データは、受信側の媒体５枚目の裏面に印刷される。送信側のＥの文字の画像データは、受信側の媒体６枚目の表面に印刷される。具体的には、この画像形成方法は、制御部１１に格納された図６，７の処理機能に基づいて処理される。この図６，７は本実施形態の受信画像データの印刷制御の動作を示すフローチャートである。以下に、画像形成方法を図６，７に基づいて説明する。
【００２８】
まず、トレイ用紙記憶部２３から媒体サイズを取得する（Ｓ１０１）。次いで、復号化ライン数およびページメモリを初期化する（Ｓ１０２）。さらに、分割印刷面フラグに表をセットする（Ｓ１０３）。
【００２９】
次いで、１ページ受信データを取得する（Ｓ１０４）。ここで受信した１ページのデータは、印刷媒体の複数ページ分になることもある。この場合は、データを以下の処理で判断して、複数媒体の表裏面に振り分ける。
【００３０】
まず、取得した受信データを１ライン復号化し、復号化ライン数をカウントする（Ｓ１０５）。次いで、最終ラインまで受信データを復号化したか否かを判定する（Ｓ１０６）。最終ラインを復号化したと判定した場合は、Ｓ１２０へ移行する。
【００３１】
ここでは、最初の１ラインを復号化しているため、最終ラインまで受信データを復号化していない。このため、復号化ライン数は媒体サイズライン数を超えているか否かを判定する（Ｓ１０７）。この分割印刷判定処理が、前記受信データの１ページ分の印刷範囲が前記媒体の印刷範囲を超えているか否かの判定をする分割印刷判定部２７の処理機能を構成している。
【００３２】
Ｓ１０７で復号化ライン数が媒体サイズライン数を超えていないと判定した場合はＳ１０５へ移行して、次の１ラインを復号化すると共に復号化ライン数をカウントし、前記Ｓ１０７までの処理を繰り返す。この繰り返しの途中で、Ｓ１０６において最終ラインを復号化したと判定した場合はＳ１２０へ移行する。これにより、１ページ分の受信データを復号化する。
【００３３】
Ｓ１０５からＳ１０７までの処理の繰り返しによりＳ１０７で、復号化ライン数が媒体サイズライン数を超えていると判定した場合は、ページメモリ３４のページメモリ表面用の領域が空いているか否かを判定する（Ｓ１０８）。空いていなければ、ページメモリ裏面用の領域に移行するためにＳ１１８へ移行する。空いていれば、分割印刷面フラグが表か否かを判定する（Ｓ１０９）。表でなければ、裏面のみの印刷となるため、ページメモリ表面用の領域に白紙データをセットする（Ｓ１１７）。次いで、ページメモリ裏面用の領域に復号化データをセットする（Ｓ１１８）。そして、分割印刷面フラグに裏をセットする（Ｓ１１９）。このフラグが、１ページ分の印刷データを分割して別の媒体（複数の媒体）の同一面（各表面又は各裏面）へ印刷するための印刷データ配置情報である。そして、分割印刷面フラグに表又は裏をセットする機能が、前記印刷データ配置情報を作成する印刷データ配置判定部２８の印刷データ配置判定処理機能を構成している。さらに、印刷データ配置判定部２８は、前記分割印刷判定部２７が１ページ分の印刷範囲が媒体の印刷範囲を超えていると判定したとき、分割された印刷データに、印刷順番を先頭ページから配置するように印刷データ配置情報を作成する。
【００３４】
次いで、Ｓ１１３へ移行する。
【００３５】
一方、Ｓ１０９で分割印刷面フラグが表であれば、ページメモリ裏面用の領域が空いているか否かを判定する（Ｓ１３２）。空いていなければ、Ｓ１１１へ移行する。空いていれば、ページメモリ裏面用の領域に白紙データをセットする（Ｓ１１０）。次いで、ページメモリ表面用の領域に復号化データをセットする（Ｓ１１１）。次いで、分割印刷面フラグに表をセットする（Ｓ１１２）。
【００３６】
次いで、分割数をカウントし（Ｓ１１３）、復号化されたデータにページ数と分割数を付加する（Ｓ１１４）。この処理機能が、１ページ分の印刷データを複数に分割したとき、各分割画像にページ数と分割数とを印字する印刷ページ印字部５２の機能を構成する。
【００３７】
そして、媒体の裏面及び表面に、ページメモリ裏面用の領域及びページメモリ表面用の領域のデータを印刷する（Ｓ１１５）。次いで、復号化ライン数およびページメモリを初期化する（Ｓ１１６）。
【００３８】
そして、Ｓ１０５へ移行して、上述したＳ１１６までの処理を繰り返す。このとき、Ｓ１０６で最終ラインまで受信データを復号化したと判定したら、ページメモリ表面用の領域が空いているか否かを判定する（Ｓ１２０）。空いていなければ、Ｓ１２４へ移行してページメモリ裏面用の領域に復号化データをセットする。空いていれば、分割印刷面フラグが表か否かを判定する（Ｓ１２１）。分割印刷面フラグが表でなければ、ページメモリ裏面用の領域に復号化データをセットして（Ｓ１２４）、Ｓ１２３へ移行する。分割印刷面フラグが表であれば、ページメモリ表面用の領域に復号化データをセットする（Ｓ１２２）。
【００３９】
次いで、ページメモリ表面用の領域、ページメモリ裏面用の領域にデータがあるか否かを判定する（Ｓ１２３）。データがあれば、復号化されたデータにページ数と分割数を付加して（Ｓ１２５）、媒体の裏面及び表面に、ページメモリ裏面用の領域及びページメモリ表面用の領域のデータを印刷する（Ｓ１２６）。次いで、復号化ライン数およびページメモリを初期化する（Ｓ１２７）。
【００４０】
次いで、全ページ受信終了したか否かを判定する（Ｓ１２８）。終了していれば、処理を終了する。終了していなければ、Ｓ１０３へ移行して上述した処理を切り返す。
【００４１】
一方、Ｓ１２３でデータがなければ、全ページ受信終了したか否かを判定する（Ｓ１３０）。全ページ受信終了していなければ、Ｓ１０３へ移行して上述した処理を切り返す。全ページ受信終了していれば、ページメモリの空いている面に白紙データをセットして（Ｓ１３１）、Ｓ１２５へ移行し、上述した処理を繰り返す。
【００４２】
これにより、図４のように、Ａの文字は媒体の１〜３ページの表面に３分割して印刷される。Ｂの文字は媒体の３ページの裏面に印刷される。Ｃの文字は媒体の４，５ページの表面に２分割して印刷される。Ｄの文字は媒体の５ページの裏面に印刷される。Ｅの文字は媒体の６ページの表面に印刷される。
【００４３】
そして、Ａの文字は媒体の１〜３ページの表面３枚で確認し、Ｃの文字は媒体の４，５ページの表面２枚で確認し、Ｂ，Ｄ，Ｅの文字は媒体の３，５，６ページの裏面、表面で確認する。
【００４４】
［効果］
以上のように、本実施形態によれば、受信した画像が媒体サイズに収まらない場合に、画像を複数の媒体の同じ面（複数の媒体の各表面又は各裏面）に印刷し、受信した複数の画像が媒体サイズに収まる場合に、媒体の両面に振り分けて印刷するようにしたので、画像データが確認しやすくなると共に、印刷用紙枚数を抑制することができる。
【００４５】
[第２実施形態]
次に、本発明の第２実施形態について説明する。本実施形態に係る画像形成装置は、上述した第１実施形態の画像形成装置とほぼ同様の構成を有するため、ここでは第１実施形態の画像形成装置との相違点を中心に説明する。図８は、本発明の第２実施形態に係るＭＦＰ装置の構成を示す制御ブロック図である。
【００４６】
本実施形態では、第１実施形態のＭＦＰ装置１０に不揮発性メモリ４４を追加した。不揮発性メモリ４４は、受信データを保存して印刷データ配置情報を作成するためのメモリであり、ＦＬＡＳＨやＨＤＤやＳＤカード等で構成されている。
【００４７】
図１０は、本実施形態に係る不揮発性メモリ４４内の印刷データ配置情報の構成図である。この不揮発性メモリ４４の受信ページ８０は、受信したページ番号である。画データ圧縮ファイル８１は、受信ページの画像データファイル名である。受信ライン数８２は、受信画データのライン数である。解像度８３は、画データの解像度である。分割ライン８４は、画像データを分割する際のライン数である。分割数８５は、受信画像データの分割数である。分割ページ番号８６は、分割された画像のページ番号である。印刷面８７は、媒体へ印刷面である。物理シート８８は印刷媒体のことである。印刷順番８９は、画像データの印刷順番である。
【００４８】
［画像形成方法］
次に、前記画像形成装置を用いた画像形成方法について説明する。ここでは、図９に示すように、Ａ〜Ｅの文字の画像データのうちＡとＣの文字が分割されて印刷される例を基に画像形成方法を説明する。この画像形成方法では、送信側のＡの文字の画像データは、受信側での印刷の結果、媒体１枚目から３枚目の表面に印刷される。送信側のＢの文字の画像データは、受信側の媒体３枚目の裏面に印刷される。送信側のＣの文字の画像データは、受信側の媒体１枚目と２枚目の裏面に印刷される。送信側のＤの文字の画像データは、受信側の媒体４枚目の表面に印刷される。送信側のＥの文字の画像データは、受信側の媒体４枚目の裏面に印刷される。具体的には、この画像形成方法は、制御部１１に格納された図１１〜１４の処理機能に基づいて処理される。図１１は本実施形態の受信画像データの印刷制御の動作を示すフローチャートである。図１２は図１１の分割印刷判定部２７での処理を示すフローチャートである。図１３は図１１の印刷データ配置判定部２８での処理の前半部分を示すフローチャートである。図１４は図１１の印刷データ配置判定部２８での処理の後半部分を示すフローチャートである。
【００４９】
まず、送信側の画像データの全ページを受信し、不揮発性メモリ４４に格納する（Ｓ２０１）。次いで、図１０の印刷データ配置情報の受信ページ８０、画データ圧縮ファイル８１、受信ライン数８２、解像度８３をセットする（Ｓ２０２）。次いで、トレイ用紙記憶部２３から媒体サイズを取得し（Ｓ２０３）、分割印刷判定処理を行う（Ｓ２０４）。この分割印刷判定処理の具体的な内容については後述する。次いで、印刷データ配置判定処理を行う（Ｓ２０５）。この印刷データ配置判定処理の具体的な内容についても後述する。次いで、印刷順番８９に記録された順番で画データ圧縮ファイル８１を取得する（Ｓ２０６）。
【００５０】
次いで、分割ページ番号８６が１以下か否かを判定する（Ｓ２１１）。即ち、分割されたデータの１ページ目又は分割のないデータであるか、分割されたデータの２ページ目以降であるかを判定する。分割ページ番号８６が１以下であれば、該当ファイルのデータを先頭から分割ライン（８４）まで復号化する（Ｓ２０７）。次いで、復号化されたデータに「Ｐ」「ページ番号」の文字フォントデータを付加して（Ｓ２０８）、Ｓ２０９へ移行する。
【００５１】
一方、Ｓ２１１で、分割ページ番号が１以下でないと判定した場合は、該当ファイルのデータを（（分割ページ番号−１）＊１１４３）−１）ラインから分割ライン８４まで復合化する（Ｓ２１２）。ここで、「１１４３」は、Ａ４定型サイズのライン数である。他のサイズの媒体の場合はその媒体のライン数となる。次いで、復号化されたデータに「Ｐ」「ページ番号」「−」「分割ページ番号」の文字フォントデータを付加して（Ｓ２１３）、Ｓ２０９へ移行する。
【００５２】
Ｓ２０９では、復合化されたデータを印刷する。次いで、全受信ページを印刷したか否かを判定する（Ｓ２１０）。印刷していなければ、Ｓ２０６へ移行して前述した処理を繰り返す。全受信ページを印刷していれば、処理を終了する。
【００５３】
［分割印刷判定処理］
次に、前記分割印刷判定処理（Ｓ２０４）について図１２を基に説明する。図１２は、上述したように、図１１の分割印刷判定処理を示すフローチャートである。
【００５４】
まず、図１０の印刷データ配置情報の受信ページ８０の情報を取得する（Ｓ３０１）。さらに、図１０の印刷データ配置情報の受信ライン数８２と解像度８３から受信長を計算する（Ｓ３０２）。
【００５５】
次いで、媒体サイズの長さより受信長のほうが長いか否かを判定する（Ｓ３０３）。受信長が媒体サイズの長さより長ければ、受信長を媒体サイズの長さで除算し、除算した商にあまりがある場合はその商に１を加算した値を図１０の印刷データ配置情報の分割数８５にセットして（Ｓ３０４）、Ｓ３０５へ移行する。一方、受信長が媒体サイズの長さより長くなければ、図１０の印刷データ配置情報の分割数８５に１をセットして（Ｓ３０６）、Ｓ３０５へ移行する。
【００５６】
次いで、分割数８５が１より大きいか否かを判定する（Ｓ３０５）。分割数８５が１より大きければ、図１０の印刷データ配置情報に該当受信ページの情報を（分割数８５−１）個分追加する（Ｓ３０７）。次いで、定型媒体サイズの分割ライン数８４、分割数８５、分割ページ番号８６をセットして（Ｓ３０８）、Ｓ３０９へ移行する。一方、Ｓ３０５で、分割数８５が１より大きくなければ、Ｓ３０９へ移行する。
【００５７】
Ｓ３０９では、全受信ページ終了したか否かを判定する。全受信ページ終了していなければＳ３０１へ移行して、前記処理を繰り返す。全受信ページ終了していれば処理を終了する。
【００５８】
［印刷データ配置判定処理］
次に、前記印刷データ配置判定処理（Ｓ２０５）について図１３，１４を基に説明する。図１３，１４は、上述したように、図１１の印刷データ配置判定処理を示すフローチャートである。具体的には、図１３は図１１の印刷データ配置判定処理の前半部分を示すフローチャートである。図１４は図１１の印刷データ配置判定処理の後半部分を示すフローチャートである。このため、図１３に基づいて、印刷データ配置判定処理の前半部分を説明した後、図１４に基づいて、印刷データ配置判定処理の後半部分を説明する。
【００５９】
まず、図１３に示すように、図１０の印刷データ配置情報の物理シート８８を０で初期化する（Ｓ４０１）。次いで、受信ページに分割するページがあるか否かを判定する（Ｓ４０２）。分割するページがなければ、図１４のＳ５０１へ移行する。
【００６０】
分割するページがあれば、分割印刷面フラグに表をセットする（Ｓ４１０）。次いで、分割数８５が２以上かつ物理シート８８が０の受信ページ８０を取得する（Ｓ４０３）。次いで、分割印刷面フラグが表か否かを判定する（Ｓ４０４）。分割印刷面フラグが表であればＳ４０５へ移行する。分割印刷面フラグが表でなければ、Ｓ４０８へ移行する。
【００６１】
Ｓ４０５では、該当受信ページの印刷面８７に表をセットする。次いで、該当受信ページの物理シート８８に連続番号をセットする（Ｓ４０６）。次いで、印刷面フラグに裏をセットして（Ｓ４１１）、Ｓ４０７へ移行する。
【００６２】
Ｓ４０８では、該当受信ページの印刷面８７に裏をセットする。次いで、該当受信ページの物理シート８８に連続番号をセットする（Ｓ４０９）。次いで、分割印刷面フラグに表をセットして（Ｓ４１２）、Ｓ４０７へ移行する。
【００６３】
Ｓ４０７では、分割される受信ページの物理シート８８はすべてセットされたか否かを判定する。すべてセットされていなければ、Ｓ４０３へ移行して、Ｓ４０７までの処理を繰り返す。すべてセットされていれば、図１４のＳ５１０へ移行する。
【００６４】
次に、図１４に基づいて、印刷データ配置判定処理の後半部分を説明する。
【００６５】
まず、物理シート８８が０の受信ページ８０があるか否かを判定する（Ｓ５１０）。物理シート８８が０の受信ページ８０がなければ、印刷順番８９に物理シート８８の表、裏の順番で番号をセットして（Ｓ５１４）、処理を終了する。
【００６６】
物理シート８８が０の受信ページがあれば、表物理シートカウンタ（媒体の表面の物理シートカウンタ）に物理シート８８の印刷面８７が表の最大値をセットする（Ｓ５０１）。次いで、裏物理シートカウンタに物理シート８８の印刷面が裏の最大値をセットする（Ｓ５０２）。次いで、物理シート８８が０の受信ページ８０を取得する（Ｓ５０３）。
【００６７】
表物理シートカウンタの値が０であれば１にセットする（Ｓ５０４）。裏物理シートカウンタの値が０であれば１にセットする（Ｓ５０５）。
【００６８】
次いで、表物理シートカウンタは、裏物理シートカウンタより大きいか否かを判定する（Ｓ５０６）。表物理シートカウンタが裏物理シートカウンタより大きければ、Ｓ５０７へ移行する。大きくなければＳ５１１へ移行する。
【００６９】
Ｓ５０７では、該当受信ページの印刷面８７に裏をセットする。次いで、裏物理シートカウンタをインクリメントし（Ｓ５０８）、該当受信ページの物理シート８８に裏物理シートカウンタの値をセットする（Ｓ５０９）。次いで、Ｓ５１０へ移行して、上述の処理を繰り返す。
【００７０】
Ｓ５１１では、該当受信ページの印刷面８７に表をセットする。次いで、表物理シートカウンタをインクリメントし（Ｓ５１２）、該当受信ページの物理シート８８に表物理シートカウンタの値をセットする（Ｓ５１３）。次いで、Ｓ５１０へ移行して、上述の処理を繰り返す。
【００７１】
上記処理により、受信したデータを適宜分割すると共に、分割したデータは複数の媒体の同一面（各表面又は各裏面）へ振り分けて印刷する。
【００７２】
これにより、図９のように、Ａの文字は媒体の１〜３ページの表面に３分割して印刷される。Ｂの文字は媒体の３ページの裏面に印刷される。Ｃの文字は媒体の１，２ページの裏面に２分割して印刷される。Ｄの文字は媒体の４ページの裏面に印刷される。Ｅの文字は媒体の４ページの裏面に印刷される。
【００７３】
そして、Ａの文字は媒体の１〜３ページの表面３枚で確認し、Ｃの文字は媒体の１，２ページの裏面２枚で確認し、Ｂ，Ｄ，Ｅの文字は媒体の３，４ページの裏面、表面で確認する。
【００７４】
［効果］
以上のように、本実施形態によれば、印刷データ配置判定部２８と、印刷データ配置情報を格納する不揮発性メモリ４４とを設けることにより、受信した画像が媒体サイズに収まらないデータを抽出し、複数媒体の表面もしくは裏面の同一面へ分割配置し、媒体サイズに収まる印刷データはデータを媒体表面・媒体裏面へ配置し印刷するようにしたので、分割配置された画像データが見やすくなり、印刷用紙枚数も抑制することができる。
【００７５】
［変形例］
前記各実施形態では、本発明をＭＦＰ装置に適用した例を説明したが、本発明はこれに限定されるものではない。ＭＦＰ装置と同様の機能を有する既存の全ての装置に適用することができる。ファクシミリ装置やプリンタ装置等の画像を形成して媒体に印刷するための全ての装置に適用することができる。
【００７６】
また、本発明は前記各実施形態や変形例に限定されるものではなく、実施段階ではその要旨を逸脱しない範囲で構成要素を変形して具体化することが可能である。また、上記各実施形態や変形例に開示されている複数の構成要素の適宜な組み合わせにより、種々の発明を形成できる。
【符号の説明】
【００７７】
１：送信側ＭＦＰ装置、２：交換回線網、３：受信側ＭＦＰ装置、４：回線、１０：ＭＦＰ装置、１１：制御部、１３：システムバス、２１：システム制御部、２２：読取制御部、２３：トレイ用紙記憶部、２４：作パネル部、２５：通信制御部、２７：分割印刷判定部、２８：印刷データ配置判定部、２９：印刷制御部、３０：読取装置、３１：操作パネル、３２：ＮＣＵ、３３：モデム、３４：ページメモリ、３５：印刷装置、４０：符号化、複合化部、４１：ＣＰＵ、４２：ＲＯＭ、４３：ＲＡＭ、４４：不揮発性メモリ、５０：両面印刷ユニット、５１：印刷データ配置情報部、５２：印刷ページ印字部、５５：用紙選択ボタン、５６：ＬＣＤ、５７：ＯＫボタン。
【図１】
2014165870.tif 000003
【図２】
2014165870.tif 000004
【図３】
2014165870.tif 000005
【図４】
2014165870.tif 000006
【図５】
2014165870.tif 000007
【図６】
2014165870.tif 000008
【図７】
2014165870.tif 000009
【図８】
2014165870.tif 000010
【図９】
2014165870.tif 000011
【図１０】
2014165870.tif 000012
【図１１】
2014165870.tif 000013
【図１２】
2014165870.tif 000014
【図１３】
2014165870.tif 000015
【図１４】
2014165870.tif 000016